(57)【要約】【課題】  乾燥の期間を推定することができる技術を提供する。【解決手段】  衣類処理装置に関する技術が開示されている。衣類処理装置は、衣類を収容して前記衣類に乾燥処理を実行する収容部と、外部から前記衣類の乾燥に関する乾燥情報を取得する乾燥情報取得部と、取得済みの前記乾燥情報を用いて、前記衣類の前記乾燥にかかる期間を推定する期間推定部と、を備えていてもよい。【選択図】図３
2019071972.tif 000002
【特許請求の範囲】
【請求項１】
衣類を収容して前記衣類に乾燥処理を実行する収容部と、
外部から前記衣類の乾燥に関する乾燥情報を取得する乾燥情報取得部と、
取得済みの前記乾燥情報を用いて、前記衣類の前記乾燥にかかる期間を推定する期間推定部と、を備える、衣類処理装置。
【請求項２】
前記乾燥情報は、前記衣類の量と前記衣類の材質の少なくとも一方を含む衣類情報を含む、請求項１に記載の衣類処理装置。
【請求項３】
前記乾燥情報は、前記衣類処理装置周辺の気候に関する気候情報を含む、請求項１又は２に記載の衣類処理装置。
【請求項４】
前記期間推定部は、前記乾燥情報を用いて、前記衣類を乾燥させるための複数の乾燥方法と、前記複数の乾燥方法のそれぞれについての前記衣類の乾燥にかかる前記期間と、を推定し、
前記衣類処理装置は、さらに、前記乾燥処理を実行させるか否かをユーザが選択することを許容する選択許容部を備える、請求項１から３のいずれか一項に記載の衣類処理装置。
【請求項５】
前記複数の乾燥方法は、前記乾燥処理を利用する方法と、ユーザによって前記衣類を前記衣類処理装置外に干す方法と、を含む、請求項４に記載の衣類処理装置。
【請求項６】
前記乾燥情報は、前記衣類処理装置周辺の気候に関する気候情報を含み、
前記気候情報は、前記衣類処理装置が配置されている屋内の気温を示す屋内気温情報と、前記屋内の湿度を示す屋内湿度情報と、屋外の気温を示す屋外気温情報と、前記屋外の湿度を示す屋外湿度情報と、の少なくとも１つの情報を含む、請求項１から５のいずれか一項に記載の衣類処理装置。
【請求項７】
前記収容部は、さらに、前記衣類を洗濯する洗濯処理を実行し、前記洗濯処理に続いて、前記乾燥処理を実行する、請求項１から６のいずれか一項に記載の衣類処理装置。
【請求項８】
前記衣類の洗濯に関する洗濯情報を取得する洗濯情報取得部と、
前記洗濯情報を用いて前記洗濯処理の洗濯コースを決定するコース決定部と、
前記洗濯情報と決定済みの前記洗濯コースと前記乾燥情報と前記乾燥方法とが組み合わせられている履歴情報を格納する格納部と、をさらに備え、
前記期間推定部は、前記履歴情報と前記乾燥情報とを用いて前記乾燥にかかる前記期間を推定し、
前記コース決定部は、前記履歴情報と前記洗濯情報とを用いて前記洗濯コースを決定する、請求項７に記載の衣類処理装置。
【発明の詳細な説明】
【技術分野】
【０００１】
本明細書に開示する技術は、衣類に乾燥処理を実行する衣類処理装置に関する。
【背景技術】
【０００２】
外部のサーバ等から洗濯に関連する情報を取得して、運転内容を変更する洗濯乾燥機が知られている。例えば、洗濯乾燥機は、花粉情報に応じて、洗い、すすぎ、脱水、乾燥の一連の工程を制御する。
【先行技術文献】
【特許文献】
【０００３】
【特許文献１】特開２００４−３４４３７２号公報
【発明の概要】
【発明が解決しようとする課題】
【０００４】
衣類を乾燥させる期間は、様々な条件によって変動する。このため、乾燥の期間を適切に推定することは難しい。
【０００５】
本明細書では、乾燥の期間を推定することができる技術を提供する。
【課題を解決するための手段】
【０００６】
本明細書には、衣類処理装置に関する技術が開示されている。衣類処理装置は、衣類を収容して前記衣類に乾燥処理を実行する収容部と、外部から前記衣類の乾燥に関する乾燥情報を取得する乾燥情報取得部と、取得済みの前記乾燥情報を用いて、前記衣類の前記乾燥にかかる期間を推定する期間推定部と、を備えていてもよい。
【図面の簡単な説明】
【０００７】
【図１】実施例に係る洗濯乾燥システムのシステム構成図である。
【図２】実施例に係る洗濯乾燥機の構成ブロック図である。
【図３】実施例に係る洗濯乾燥処理を示すフローチャートである。
【図４】実施例に係る洗濯処理と乾燥処理の期間を示す期間データベースである。
【図５】実施例に係る衣類情報と重量の関係を示す種類データベースである。
【発明を実施するための形態】
【０００８】
図１〜図４を参照して実施例に係る洗濯乾燥機１０（以下、単に「洗濯機１０」と呼ぶ）を説明する。洗濯機１０は、洗濯システム２に配置されている。洗濯システム２は、洗濯機１０以外に、情報提供サーバ２００と、携帯端末３００と、を備える。
【０００９】
洗濯機１０は、インターネット１００を介して、情報提供サーバ２００に通信可能に接続されている。また、洗濯機１０は、インターネット１００を介して携帯端末３００に通信可能に接続されている。
【００１０】
洗濯機１０は、家庭で用いられる。図２に示すように、洗濯機１０は、筺体１２と、表示部１４と、操作部１６と、検知部１８と、制御部２０と、洗濯槽ユニット３０と、通信モジュール４０と、を備える。
【００１１】
筺体１２は、表示部１４、操作部１６、検知部１８、制御部２０、洗濯槽ユニット３０、及び通信モジュール４０を収容している。表示部１４、操作部１６、検知部１８、及び洗濯槽ユニット３０、及び通信モジュール４０は、制御部２０と通信可能に接続されている。表示部１４は、液晶パネルを有する。表示部１４は、制御部２０によって制御され、洗濯及び乾燥に必要な情報（例えば洗濯残り期間）を表示する。操作部１６は、スタートボタン、停止ボタン等の複数のボタンを備える。操作部１６は、ユーザによってボタンが操作されると、操作されたボタンに従った信号を制御部２０に送信する。なお、変形例では、表示部１４と操作部１６は、タッチパネルを備えていてもよい。
【００１２】
検知部１８は、温度センサ、湿度センサ、水温センサを備える。温度センサは、洗濯機１０が載置されている屋内の温度を検知する。湿度センサは、洗濯機１０が載置されている屋内の湿度を検知する。水温センサは、洗濯機１０に供給される水（例えば水道水）の温度を検知する。検知部１８は、制御部２０から要求が取得されると、要求に応じて、屋内の温度、湿度、及び水温を、制御部２０に供給する。
【００１３】
洗濯槽ユニット３０は、洗濯槽３２と、読取部３４と、を備える。洗濯槽３２は、開口を有する有底の筒形状を有する。洗濯槽３２は、鉛直方向に対して傾斜している。なお、変形例では、洗濯槽３２は、鉛直方向に配置されていてもよい。洗濯槽３２は、筺体１２に対して回動可能に支持されている。洗濯槽３２は、筺体１２に投入される洗濯物を収容して、洗い、すすぎ、脱水を含む洗濯処理と、乾燥処理と、を実行する。洗濯槽３２は、モータによって、筺体１２に対して回動される。モータが制御部２０から取得される信号に従って駆動することによって、洗濯槽３２が回動する。また、乾燥処理では、図示省略したファン及びコンプレッサによって、洗濯槽３２内の衣類が乾燥される。
【００１４】
読取部３４は、ＲＦＩＤ（Radio Frequency Identifierの略）システムのＲＦタグ（以下単に「タグ」と呼ぶ）を読取可能なリーダを備える。読取部３４は、洗濯槽３２内に配置される洗濯物に付されているタグを読み取る。洗濯の対象となる衣類４００には、それぞれにタグ４０２が付されている。タグ４０２には、衣類４００の種類と材質とを含む衣類情報が記録されている。読取部３４は、読み取った衣類情報を、制御部２０に送信する。衣類４００の種類は、例えば「ワイシャツ」、「半袖Ｔシャツ」、「ワンピース」等を示す。材質は、綿、化繊等の材料と、その割合とを含む。
【００１５】
通信モジュール４０は、洗濯機１０とインターネット１００とを接続するための通信インターフェイス、例えばＬＡＮ（Local Area Networkの略）インターフェイスを備える。制御部２０は、通信モジュール４０を介して、インターネット１００上の情報提供サーバ２００、携帯端末３００と通信を実行する。
【００１６】
制御部２０は、ＣＰＵとＲＡＭ、ＲＯＭ等のメモリを含む。制御部２０は、図示省略した配線によって、各部１４、１６、１８、３０、４０に制御可能に接続されている。制御部２０は、メモリに洗濯機１０の各部１４、１６、１８、３０、４０を制御するためのコンピュータプログラムを格納する。制御部２０は、ＣＰＵとメモリによって、後述する洗濯乾燥処理を含む様々な処理を実行する。
【００１７】
図４、図５に示すように、制御部２０は、期間データベース２２と、種類データベース２４と、を予め格納している。各データベース２２、２４は、例えば、洗濯機１０の製造者によって、予め格納されている。また、制御部２０は、ユーザによって設定されたユーザ情報を格納可能である。さらに、制御部２０は、後述する洗濯乾燥処理を含む様々な処理に必要なテーブル等を予め格納している。これらのテーブル等は必要に応じて後で説明する。
【００１８】
期間データベース２２には、衣類４００の材質が化繊１００％である衣類４００の場合の重量と洗濯処理の期間と乾燥処理の期間、及び衣類４００の材質が綿１００％である場合の衣類４００の重量と洗濯処理の期間と乾燥処理の期間とが関連付けて記録されている。
【００１９】
種類データベース２４には、衣類４００の種類と材質と推定重量とが関連付けて記録されている。例えば、衣類４００の種類が「長袖ワイシャツ」である場合、２つの材質が関連付けられている。制御部２０は、衣類４００の種類が「長袖ワイシャツ」である場合に、材質に応じて、推定重量を特定する。このように、１種類の衣類４００に対して、複数の材質と推定重量が関連付けて記録されている場合がある。
【００２０】
（初期設定）
ユーザは、携帯端末３００又は操作部１６を操作することによって、ユーザ情報を設定することができる。携帯端末３００が利用される場合、ユーザは、インターネット１００を介して、携帯端末３００を洗濯機１０に接続することによって、携帯端末３００に入力したユーザ情報を、洗濯機１０に設定する。操作部１６が利用される場合、ユーザは、操作部１６を操作することによって、ユーザ情報を入力する。これにより、ユーザ情報が設定される。ユーザ情報は、ユーザが、洗濯に利用する洗剤、柔軟剤の種類を含む洗濯情報、住所（即ち洗濯機１０の設置地域）を含む。なお、変形例では、ユーザは、ユーザ情報を情報提供サーバ２００に登録してもよい。この場合、洗濯機１０が、必要に応じて、ユーザ情報を情報提供サーバ２００から取得してもよい。
【００２１】
（洗濯乾燥処理）
次いで、図３を参照して、洗濯機１０が実行する洗濯乾燥処理について説明する。洗濯乾燥処理は、ユーザによって洗濯機１０の電源スイッチがオフからオンに切り替えられると開始される。なお、ユーザは、洗濯機１０の電源スイッチをオンに切り替える前に、洗濯槽３２に衣類４００を投入することができる。
【００２２】
洗濯乾燥処理では、まず、Ｓ１２において、制御部２０は、インターネット１００を介して、サーバ側気候情報を取得する。サーバ側気候情報は、洗濯機１０が設置されている地域（即ちユーザの住所の地域）の屋外の気温を示す屋外気温情報と、屋外の湿度を示す屋外湿度情報と、屋外の降水確率を示す降水確率情報と、屋外の飛散物（例えば花粉、黄砂等）の量を示す飛散物情報を含む。制御部２０は、情報提供サーバ２００に、サーバ側気候情報を要求する信号を送信する。要求信号には、ユーザ情報に含まれる住所を示す情報が含まれる。情報提供サーバ２００は、要求信号が受信されると、サーバ側気候情報を、洗濯機１０に送信する。
【００２３】
次いで、Ｓ１４では、制御部２０は、洗濯機側気候情報を取得する。具体的には、制御部２０は、検知部１８に、洗濯機１０が設置されている屋内の気温を示す屋内気温情報と、屋内の湿度を示す屋内湿度情報と、を検知させる。検知部１８は、検知済みの屋内気温情報と屋内湿度情報とを含む洗濯機側気候情報を、制御部２０に供給する。
【００２４】
次いで、Ｓ１６では、制御部２０は、衣類情報を取得する。具体的には、制御部２０は、読取部３４に、衣類情報を読み取らせる。読取部３４は、洗濯槽３２に収容されている１個以上の衣類４００のタグ４０２を読み取って、読み取った衣類情報を、制御部２０に供給する。
【００２５】
次いで、Ｓ１８では、制御部２０は、制御部２０に格納されている履歴情報を特定する。履歴情報は、後述するＳ３０において、制御部２０に格納される情報であり、洗濯情報と、Ｓ１２〜Ｓ１６の各情報と、後述するＳ２６によってユーザによって選択される洗濯コース及び乾燥方法と、が組み合わせられている。
【００２６】
次いで、Ｓ２０では、制御部２０は、洗濯処理を実行するための洗濯コースを決定する。具体的には、制御部２０は、Ｓ１６で取得される衣類情報と、Ｓ１８で特定される履歴情報と、制御部２０に格納されている洗濯情報と、を用いて、洗濯コースを決定する。制御部２０は、衣類情報から得られる衣類４００の材質及び衣類４００の種類を用いて、洗濯処理の強度を決定する。例えば、制御部２０は、洗濯処理の強度について、通常コースと、通常コースよりも強度が低いソフトコース、通常コースよりも強度が高い強力コースからコースを選択する。なお、変形例では、洗濯処理に含まれる洗い、すすぎ、脱水のそれぞれについて、強度を選択してもよい。ここで、衣類４００の材質及び衣類４００の種類だけでは、１つの洗濯処理の強度を特定することが難しい場合がある。例えば、衣類情報に丁寧に扱うべき衣類４００の種類と汚れやすい衣類４００の種類とが含まれる場合には、洗濯処理の強度を強くすべきか弱くすべきか特定することができない。この場合、制御部２０は、履歴情報を用いて、即ち、過去にユーザによって選択された洗濯コース及び乾燥方法に基づいて、洗濯処理の強度を決定する。
【００２７】
また、制御部２０は、衣類情報から得られる衣類４００の材質及び衣類４００の種類と、制御部２０に格納されている種類データベース２４と、を用いて、洗濯槽３２に収容されている衣類４００の重量を推定する。これにより、制御部２０は、洗濯処理時の水量を決定する。次いで、制御部２０は、推定済みの重量と、期間データベース２２から、化繊１００％及び綿１００％である場合の洗濯処理の期間を特定する。次いで、制御部２０は、衣類情報の衣類４００の材質を用いて、洗濯槽３２に収容されている衣類４００の化繊と綿の割合を特定する。これにより、洗濯処理の期間を決定する。例えば、洗濯槽３２に収容されている衣類４００の化繊と綿の割合が２：１である場合、（化繊１００％である場合の洗濯処理の期間×２＋綿１００％である場合の洗濯処理の期間）／３を算出して、洗濯処理の期間を決定する。
【００２８】
次いで、Ｓ２２では、制御部２０は、乾燥方法を特定する。乾燥方法は、洗濯機１０によって実行される乾燥処理を利用する方法と、洗濯機１０外の屋内に干す方法と、屋外に干す方法と、を含む。制御部２０は、まず、乾燥処理の実行可否を判断する。制御部２０は、材質に応じて、乾燥処理の実行可否を判断する。具体的には、制御部２０は、予め衣類情報と乾燥処理の実行可否を示す情報とが組み合わせて記録されているテーブルを格納している。制御部２０は、取得済みの衣類情報とテーブルとを用いて、乾燥処理の実行可否を決定する。例えば、制御部２０は、１個以上の衣類情報に、乾燥処理の実行不可能を示す情報と組み合わせてテーブルに記録されている衣類情報が含まれる場合に、乾燥処理の実行が不可能であると判断してもよい。なお、変形例では、タグ４０２に、乾燥処理の実行可否の情報が記録されていてもよい。制御部２０は、乾燥処理の実行可否の情報を用いて、乾燥処理の実行可否を判断してもよい。乾燥処理が実行可能である場合、制御部２０は、Ｓ２０で推定された衣類４００の重量と、衣類４００の化繊と綿の割合と、期間データベース２２と、を用いて、乾燥処理の期間を決定する。乾燥処理の期間の決定は、Ｓ２０の洗濯処理の期間の決定と同様である。
【００２９】
次いで、制御部２０は、Ｓ１４で特定済みの洗濯機側気候情報と衣類情報を用いて、屋内に干す方法の乾燥期間を決定する。また、制御部２０は、Ｓ１２で取得済みのサーバ側気候情報を用いて、屋外に干す方法が実行可能であるか否かを判断する。例えば、制御部２０は、屋外の降水確率が比較的に高い場合（例えば４０％以上である場合）に屋外に干す方法が実行可能でないと判断し、降水確率が比較的に低い場合に屋外に干す方法が実行可能であると判断する。また、例えば、制御部２０は、飛散物が比較的に多い場合（例えば花粉量が所定の基準よりも多い場合）、屋外に干す方法が実行可能でないと判断する。
【００３０】
屋外に干す方法が実行可能であると判断される場合、Ｓ１２で取得済みのサーバ側気候情報と衣類情報を用いて、屋外に干す方法の乾燥期間を推定する。
【００３１】
次いで、Ｓ２４では、Ｓ２０で決定済みの洗濯コース及びＳ２２で特定済みの乾燥方法及びその期間を、表示部１４に表示させる。表示部１４には、例えば、洗濯コースとして、「通常コース・水量Ｖリットル」と、乾燥方法及びその期間として、「乾燥処理：Ｘ時間」、「屋外干し：Ｙ時間」、「屋内干し：Ｚ時間」と、が表示される。なお、乾燥方法のうち、乾燥処理と屋外干しの少なくとも一方が実行不可能であると判断される場合、実行不可能と判断された乾燥方法とその期間は表示されない。なお、変形例では、実行不可能と判断された乾燥方法が、実行不可能であることを示す表示を表示部１４に実行させてもよい。
【００３２】
次いで、Ｓ２６では、制御部２０は、操作部１６に、ユーザが選択完了操作を実行することを監視している。ユーザは、Ｓ２４で表示されている乾燥方法の中から、１つの乾燥方法を選択することができる。ユーザは、乾燥処理による乾燥方法を選択するか否かの乾燥選択操作を実行する。また、ユーザは、洗濯コースを変更するコース変更操作を実行することができる。コース変更操作では、例えば、洗濯処理の強度（例えば通常コースから通常コースよりも強度が低いソフトコースへの変更）、水量を変更することができる。ユーザは、全ての選択操作が完了すると、所定の選択完了操作を実行する。
【００３３】
制御部２０は、選択完了操作が実行される場合（Ｓ２６でＹＥＳ）、Ｓ２８において、洗濯処理を実行する。また、Ｓ２８では、制御部２０は、Ｓ２６において、乾燥処理が選択されている場合、洗濯処理に続いて、乾燥処理を実行する。Ｓ２８において、洗濯処理及び実行されている場合には乾燥処理まで終了すると、Ｓ３０において、制御部２０は、Ｓ１２で取得済みのサーバ側気候情報と、Ｓ１４で検知済みの洗濯機側気候情報と、Ｓ１６で読取済みの衣類情報と、洗濯情報と、Ｓ２６で選択済みの洗濯コース及び乾燥方法を含む履歴情報を、制御部２０に格納して、洗濯乾燥処理を終了する。
【００３４】
（効果）
洗濯機１０は、サーバ側気候情報、洗濯機側気候情報、衣類情報を用いて、乾燥の期間を推定する。この構成によれば、衣類４００の量、材質、気温、室温等を考慮して、適切に乾燥の期間を推定することができる。
【００３５】
洗濯機１０は、洗濯機１０が実行する乾燥処理以外に、屋外に干す方法や屋内に干す方法を含む乾燥方法のそれぞれについて、乾燥の期間を推定する。この構成によれば、ユーザは、複数の乾燥方法の中から、乾燥の期間を確認して、自身に最適な乾燥方法を選択することができる。
【００３６】
洗濯機１０は、洗濯情報及び衣類情報を用いて、洗濯コースを特定する。この構成によれば、ユーザは、ユーザ自身で洗濯コースを決定せずに済む。また、洗濯機１０は、ユーザに、特定済みの洗濯コースを変更することを許容する。この構成によれば、ユーザが洗濯コースをアレンジして、洗濯機１０に所望の洗濯処理を実行させることができる。
【００３７】
洗濯機１０は、履歴情報を格納しており、履歴情報をさらに用いて、洗濯コース及び乾燥方法を特定する。この構成によれば、ユーザが過去に選択した洗濯コースや乾燥方法を考慮して、洗濯コース及び乾燥方法を特定することができる。
【００３８】
（対応関係）
洗濯機１０が「衣類処理装置」の一例であり、洗濯槽３２が「収容部」の一例である。サーバ側気候情報と、洗濯機側気候情報と、衣類情報と、が「乾燥情報」の一例である。Ｓ１２、Ｓ１４、Ｓ１６の処理を実行する制御部２０が「乾燥情報取得部」の一例であり、Ｓ２２の処理を実行する制御部２０が「期間推定部」の一例である。Ｓ２６の処理を実行する制御部２０が「選択許容部」の一例であり、Ｓ２０の処理を実行する制御部２０が「洗濯情報取得部」及び「コース決定部」の一例であり、Ｓ３０の処理を実行する制御部２０が「格納部」である。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００４０】
（１）上記の実施例では、制御部２０は、情報提供サーバ２００からサーバ側気候情報を取得している。しかしながら、制御部２０は、携帯端末３００からサーバ側気候情報のうちの少なくとも１つの情報を取得してもよい。
【００４１】
（２）上記の実施例では、洗濯機１０が「衣類処理装置」の一例である。しかしながら、「衣類処理装置」は、洗濯処理を実行可能でなくてもよい。即ち、「衣類処理装置」は、乾燥処理のみを実行可能な乾燥機であってもよい。この場合、乾燥機の制御部２０は、図３の洗濯乾燥処理のうち、少なくとも、Ｓ１２〜Ｓ１６の少なくとも１つの処理、Ｓ２２及びＳ２８のうち乾燥処理のみを実行してもよい。
【００４２】
（３）上記の実施理例では、サーバ側気候情報と、洗濯機側気候情報と、衣類情報と、が「乾燥情報」の一例である。しかしながら、「乾燥情報」は、サーバ側気候情報、洗濯機側気候情報、及び衣類情報の少なくとも１つの情報を含んでいてもよい。この場合、制御部２０は、Ｓ１２〜Ｓ１６のうち、少なくとも１つの処理を実行すればよい。
【００４３】
（４）上記の実施例では、制御部２０は、複数の乾燥方法のそれぞれについて、乾燥の期間を推定している。しかしながら、制御部２０は、洗濯機１０において実行される乾燥処理の期間のみを推定してもよい。あるいは、制御部２０は、洗濯機１０外の乾燥室（例えば、エアコンや乾燥設備を有する部屋）で実行される乾燥の期間を推定してもよい。この場合、制御部２０は、乾燥室の温度及び湿度に関する情報を取得してもよい。本変形例では、乾燥室の温度及び湿度に関する情報が「乾燥情報」の一例である。
【００４４】
（５）初期設定において、ユーザによって予め設定される洗濯情報は、ユーザの家族構成、生活スケジュール（例えば在宅時刻）等を含んでいてもよい。制御部２０は、これらの情報を考慮して、洗濯コース及び乾燥方法を特定してもよい。
【００４５】
（６）上記の実施例では、制御部２０は、衣類情報として、衣類４００の重量を推定している。しかしながら、制御部２０は、衣類４００の重量とともに、あるいはこれに替えて、衣類４００の容量を推定してもよい。この場合、制御部２０は、各データベース２２、２４とともに、あるいはこれらに替えて、容量を推定可能なデータベースを格納していてもよい。
【００４６】
（７）上記の実施例では、制御部２０は、タグ４０２を読み取ることによって、衣類４００の重量を推定している。しかしながら、衣類４００の重量を取得する方法は、これに限らず、洗濯機１０に重量センサを配置してもよいし、制御部２０が、洗濯槽３２を回転させたときのモータにかかる荷重に基づいて推定してもよいし、ユーザに入力させてもよい。この場合、衣類４００にタグ４０２が付されていなくてもよい。
【００４７】
（８）上記の実施例において、制御部２０に格納される各種情報は、洗濯機１０と通信可能に接続さている外部装置（例えば情報提供サーバ２００）に格納されていてもよい。例えば、上記の実施例において、制御部２０に予め格納されているデータベース２２、２４は、情報提供サーバ２００に格納されていてもよい。制御部２０は、必要に応じて、外部装置と各種情報の通信を実行してもよい。この構成によれば、制御部２０のメモリに容量を節約することができる。
【００４８】
（９）上記の実施例では、タグ４０２には、衣類４００の種類と材質とを含む衣類情報が記録されている。しかしながら、タグ４０２には、衣類４００を識別するための識別情報（例えば衣類４００固有の文字列）が格納されていてもよい。この場合、制御部２０は、タグ４０２から取得された識別情報を用いて、制御部２０内のメモリあるいはインターネット１００を介して、識別情報に対応する衣類情報を取得してもよい。
【００４９】
（１０）上記の実施例では、検知部１８は、洗濯機１０が載置されている屋内の温度等の気候情報を検知する。しかしながら、検知部１８は、洗濯機１０と離れて配置されている温度センサ等を備えてもよい。例えば、洗濯機１０が洗面室に配置されている場合に、検知部１８の温度センサ等がリビング、寝室等、屋内干しに利用される部屋に配置されていてもよい。この場合、温度センサ等は、通信モジュール４０を介して制御部２０と通信可能に接続されていてもよい。検知部１８は、屋内干しに利用される部屋の温度、湿度等を検知し、制御部２０に送信してもよい。
【００５０】
（１１）制御部２０は、Ｓ２２で特定される乾燥方法に応じて、洗濯処理に含まれる脱水の制御を変更してもよい。例えば、屋外で干す乾燥方法と比較して、屋内で干す乾燥方法の場合では、脱水の強度を高くしてもよい。あるいは、屋外で干す乾燥方法と比較して、屋内で干す乾燥方法の場合では、脱水の期間を長くしてもよい。この場合、洗い、すすぎの各工程については、乾燥方法に応じて、強度、期間を変更しなくてもよい。
【００５１】
これら実施形態やその変形は、発明の範囲や要旨に含まれると同様に、特許請求の範囲に記載された発明とその均等の範囲に含まれるものである。
【符号の説明】
【００５２】
２      ：洗濯システム
１０    ：洗濯乾燥機
１２    ：筺体
１４    ：表示部
１６    ：操作部
１８    ：検知部
２０    ：制御部
２２    ：期間データベース
２４    ：種類データベース
３０    ：洗濯槽ユニット
３２    ：洗濯槽
３４    ：読取部
１００  ：インターネット
２００  ：情報提供サーバ
３００  ：携帯端末
４００  ：衣類
４０２  ：タグ
【図１】
2019071972.tif 000003
【図２】
2019071972.tif 000004
【図３】
2019071972.tif 000005
【図４】
2019071972.tif 000006
【図５】
2019071972.tif 000007